(57)【要約】    【課題】  異なるフォーマット形式の複数のデータが混在して記録された磁気テープのダビングを行う際に、良好な作業性を確保する。    【解決手段】  異なるフォーマット形式で生成された複数のデータをそれぞれ受信可能なデジタルインターフェース部１１と、これによって受信されたデータを記録媒体に記録する記録部１４とを備えた記録装置において、フォーマット検出部１２が、デジタルインターフェース部１１によって受信されたデータのフォーマット形式を検出し、フォーマット選択部１３が、記録媒体に記録されるべきデータのフォーマット形式の指定を受け取る。フォーマット選択部１３が受け取ったフォーマット形式と、フォーマット検出部１２が検出したフォーマット形式とが不一致であるならば、記録部１４が記録を停止し、一致していれば、記録部１４が記録を実行する。【選択図】      図１
2007066357.tif 000002
【特許請求の範囲】
【請求項１】
異なるフォーマットの複数のデータをそれぞれ受信可能な受信手段と、
前記受信手段によって受信されたデータのフォーマットを検出するフォーマット検出手段と、
前記受信手段によって受信されたデータを記録媒体に記録する記録手段と、
前記記録媒体に記録されるべきデータのフォーマットの指定を受け取る受取手段と、
前記受取手段によって受け取られたフォーマットと、前記フォーマット検出手段によって検出されたフォーマットとを比較する比較手段と、
前記比較手段による比較の結果、両フォーマットが不一致であるならば、前記記録手段による記録を停止させ、両フォーマットが一致していれば、前記記録手段による記録を実行させる制御手段と
を有することを特徴とする記録装置。
【請求項２】
異なるフォーマットの複数のデータをそれぞれ受信可能な受信手段と、
前記受信手段によって受信されたデータのフォーマットを検出するフォーマット検出手段と、
前記受信手段によって受信されたデータを記録媒体に記録する記録手段と、
前記受信手段が受信可能なデータのフォーマットと、前記フォーマット検出手段によって検出されたフォーマットとを比較する比較手段と、
前記比較手段による比較の結果、両フォーマットが不一致であるならば、前記受信手段によって受信すべきデータのフォーマットを、前記フォーマット検出手段によって検出されたフォーマットと一致するフォーマットに設定する設定手段と
を有することを特徴とする記録装置。
【請求項３】
異なるフォーマットの複数のデータをそれぞれ受信可能な受信手段と、
前記受信手段によって受信されたデータのフォーマットを検出するフォーマット検出手段と、
前記受信手段によって受信されたデータを記録媒体に記録する記録手段と、
前記記録媒体に記録されるべきデータのフォーマットの指定を受け取る受取手段と、
前記受取手段によって受け取られたフォーマットと、前記フォーマット検出手段によって検出されたフォーマットとを比較する第１の比較手段と、
前記第１の比較手段による比較の結果、両フォーマットが不一致であるならば、前記記録手段による記録を停止させ、両フォーマットが一致していれば、前記記録手段による記録を実行させる制御手段と、
前記受信手段が受信可能なデータのフォーマットと、前記フォーマット検出手段によって検出されたフォーマットとを比較する第２の比較手段と、
前記第２の比較手段による比較の結果、両フォーマットが不一致であるならば、前記受信手段によって受信すべきデータのフォーマットを、前記フォーマット検出手段によって検出されたフォーマットと一致するフォーマットに設定する設定手段と
を有することを特徴とする記録装置。
【請求項４】
前記受信手段が受信するフォーマットが異なる複数のデータは、少なくともＨＤＶ規格に準ずる圧縮データおよびＤＶ規格に準ずる圧縮データであることを特徴とする請求項１乃至３のいずれかに記載の記録装置。
【請求項５】
前記受信手段は、ＩＥＥＥ１３９４規格で規定されたインターフェース手段であり、
前記フォーマット検出手段は、ＩＥＥＥ１３９４規格で規定されたアイソクロナスパケットのＣＩＰヘッダのＦＭＴ領域に搭載されたフォーマット情報に基づき、前記受信手段によって受信されたデータのフォーマットを検出することを特徴とする請求項１乃至３のいずれかに記載の記録装置。
【請求項６】
前記複数のデータは同一の記録媒体から連続的に再生されたデータであることを特徴とする請求項１乃至３の何れかに記載の記録装置。
【請求項７】
前記受取手段は、前記複数のデータのフォーマットのうちの何れかのフォーマットを前記記録媒体に記録されるべきデータのフォーマットとして指定を受けることを特徴とする請求項１または３に記載の記録装置。
【請求項８】
異なるフォーマットで記録媒体に記録された複数のデータを再生する再生手段と、
前記再生手段によって再生された異なるフォーマットをそれぞれ持つ複数のデータを外部装置にそれぞれ送信可能な送信手段と、
前記再生手段によって再生されたデータのフォーマットを検出するフォーマット検出手段と、
前記外部装置に送信すべきデータのフォーマットの指定を受け取る受取手段と、
前記受取手段によって受け取られたフォーマットと、前記フォーマット検出手段によって検出されたフォーマットとが一致していれば、前記送信手段による前記データの送信を実行させ、一致していない場合には前記送信手段による前記データの送信を禁止する制御手段と
を有することを特徴とするデータ出力装置。
【請求項９】
異なるフォーマットで記録媒体に記録された複数のデータを再生する再生手段と、
前記再生手段によって再生された異なるフォーマットをそれぞれ持つ複数のデータを外部記録装置にそれぞれ送信可能な送信手段と、
前記再生手段によって再生されたデータのフォーマットを検出する再生データフォーマット検出手段と、
前記外部記録装置が記録すべきデータのフォーマットを検出する外部設定フォーマット検出手段と、
前記再生データフォーマット検出手段によって検出されたフォーマットと、前記外部設定フォーマット検出手段によって検出されたフォーマットとが一致していない場合には、前記送信手段を介して前記外部記録装置に対して記録待機コマンドを送信するコマンド送信手段と、
前記記録待機コマンド送信後、前記再生データフォーマット検出手段によって検出されたフォーマットと、前記外部設定フォーマット検出手段によって検出されたフォーマットとが一致したことに応じて、前記再生手段による再生と前記送信手段による送信とを実行させる制御手段と
を有することを特徴とするデータ出力装置。
【請求項１０】
異なるフォーマットで記録媒体に記録された複数のデータを再生する再生手段と、
前記再生手段によって再生された異なるフォーマットをそれぞれ持つ複数のデータを外部装置にそれぞれ送信可能な送信手段と、
前記再生手段によって再生されたデータのフォーマットを検出する再生データフォーマット検出手段と、
前記外部装置で設定されているフォーマットを検出する外部設定フォーマット検出手段と、
前記再生データフォーマット検出手段によって検出されたフォーマットと、前記外部設定フォーマット検出手段によって検出されたフォーマットとが一致していないとき、前記送信手段によって送信すべきデータのフォーマットを、前記再生データフォーマット検出手段によって検出されたフォーマットと一致するフォーマットに設定する設定手段と
を有することを特徴とするデータ出力装置。
【請求項１１】
前記送信手段が送信するフォーマットが異なる複数のデータは、少なくともＨＤＶ規格に準ずる圧縮データおよびＤＶ規格に準ずる圧縮データであることを特徴とする請求項８乃至１０のいずれかに記載のデータ出力装置。
【請求項１２】
前記フォーマット検出手段は、ＤＶ規格及びＨＤＶ規格で規定されたＩＴＩセクタのＡＰＴ領域に記載されたフォーマット情報に基づき、前記再生手段によって再生されたデータのフォーマットを検出することを特徴とする請求項８に記載のデータ出力装置。
【請求項１３】
前記送信手段は、ＩＥＥＥ１３９４規格で規定されたインターフェース手段であり、
前記外部設定フォーマット検出手段は、ＩＥＥＥ１３９４規格で規定されたアシンクロナス通信でサポートされる「AV/C Input Plug Signal Format」コマンドを前記外部装置に送信することによって該外部装置から返信される信号のＦＭＴ領域に記載されたフォーマット情報に基づき、前記外部装置で設定されているフォーマットを検出することを特徴とする請求項９または１０に記載のデータ出力装置。
【請求項１４】
異なるフォーマットの複数のデータをそれぞれ受信可能な受信手段と、該受信手段によって受信されたデータを記録媒体に記録する記録手段とを備えた記録装置に適用される異種データ記録方法において、
前記受信手段によって受信されたデータのフォーマットを検出するフォーマット検出ステップと、
前記記録媒体に記録されるべきデータのフォーマットの指定を受け取る受取ステップと、
前記受取ステップにおいて受け取られたフォーマットと、前記フォーマット検出ステップにおいて検出されたフォーマットとを比較する比較ステップと、
前記比較ステップにおける比較の結果、両フォーマットが不一致であるならば、前記記録手段による記録を停止させ、両フォーマットが一致していれば、前記記録手段による記録を実行させる制御ステップと
を有することを特徴とする異種データ記録方法。
【請求項１５】
異なるフォーマットの複数のデータをそれぞれ受信可能な受信手段と、該受信手段によって受信されたデータを記録媒体に記録する記録手段とを備えた記録装置に適用される異種データ記録方法において、
前記受信手段によって受信されたデータのフォーマットを検出するフォーマット検出ステップと、
前記受信手段が受信可能なデータのフォーマットと、前記フォーマット検出ステップにおいて検出されたフォーマットとを比較する比較ステップと、
前記比較ステップにおける比較の結果、両フォーマットが不一致であるならば、前記受信手段によって受信すべきデータのフォーマットを、前記フォーマット検出ステップにおいて検出されたフォーマットと一致するフォーマットに設定する設定ステップと
を有することを特徴とする異種データ記録方法。
【請求項１６】
異なるフォーマットの複数のデータをそれぞれ受信可能な受信手段と、該受信手段によって受信されたデータを記録媒体に記録する記録手段とを備えた記録装置に適用される異種データ記録方法において、
前記受信手段によって受信されたデータのフォーマットを検出するフォーマット検出ステップと、
前記記録媒体に記録されるべきデータのフォーマットの指定を受け取る受取ステップと、
前記受取ステップにおいて受け取られたフォーマットと、前記フォーマット検出ステップにおいて検出されたフォーマットとを比較する第１の比較ステップと、
前記第１の比較ステップにおける比較の結果、両フォーマットが不一致であるならば、前記記録手段による記録を停止させ、両フォーマットが一致していれば、前記記録手段による記録を実行させる制御ステップと、
前記受信手段が受信可能なデータのフォーマットと、前記フォーマット検出ステップにおいて検出されたフォーマットとを比較する第２の比較ステップと、
前記第２の比較手段における比較の結果、両フォーマットが不一致であるならば、前記受信手段によって受信すべきデータのフォーマットを、前記フォーマット検出ステップにおいて検出されたフォーマットと一致するフォーマットに設定する設定ステップと
を有することを特徴とする異種データ記録方法。
【請求項１７】
異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法において、
前記再生手段によって再生されたデータのフォーマットを検出するフォーマット検出ステップと、
前記外部装置に送信すべきデータのフォーマットの指定を受け取る受取ステップと、
前記受取ステップにおいて受け取られたフォーマットと、前記フォーマット検出ステップにおいて検出されたフォーマットとが一致していれば、前記送信手段による前記データの送信を実行させ、一致していない場合には前記送信手段による前記データの送信を禁止する制御ステップと
を有することを特徴とする異種データ出力方法。
【請求項１８】
異なるフォーマットで記録媒体に記録された複数のデータを再生する再生手段と、該再生手段によって再生された異なるフォーマットをそれぞれ持つ複数のデータを外部記録装置にそれぞれ送信可能な送信手段とを備えたデータ出力装置に適用される異種データ出力方法において、
前記再生手段によって再生されたデータのフォーマットを検出する再生データフォーマット検出ステップと、
前記外部記録装置が記録すべきデータのフォーマットを検出する外部設定フォーマット検出ステップと、
前記再生データフォーマット検出ステップによって検出されたフォーマットと、前記外部設定フォーマット検出ステップによって検出されたフォーマットとが一致していない場合には、前記送信手段を介して前記外部記録装置に対して記録待機コマンドを送信するコマンド送信ステップと、
前記記録待機コマンド送信後、前記再生データフォーマット検出ステップによって検出されたフォーマットと、前記外部設定フォーマット検出ステップによって検出されたフォーマットとが一致したことに応じて、前記再生手段による再生と前記送信手段による送信とを実行させる制御ステップと
を有することを特徴とする異種データ出力方法。
【請求項１９】
異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法において、
前記再生手段によって再生されたデータのフォーマットを検出する再生データフォーマット検出ステップと、
前記外部装置で設定されているフォーマットを検出する外部設定フォーマット検出ステップと、
前記再生データフォーマット検出ステップにおいて検出されたフォーマットと、前記外部設定フォーマット検出ステップにおいて検出されたフォーマットとが一致していないとき、前記送信手段によって送信すべきデータのフォーマットを、前記再生データフォーマット検出ステップにおいて検出されたフォーマットと一致するフォーマットに設定する設定ステップと
を有することを特徴とする異種データ出力方法。
【請求項２０】
異なるフォーマットの複数のデータをそれぞれ受信可能な受信手段と、該受信手段によって受信されたデータを記録媒体に記録する記録手段とを備えた記録装置に適用される異種データ記録方法を、コンピュータに実行させるためのプログラムにおいて、
前記受信手段によって受信されたデータのフォーマットを検出するフォーマット検出ステップと、
前記記録媒体に記録されるべきデータのフォーマットの指定を受け取る受取ステップと、
前記受取ステップにおいて受け取られたフォーマットと、前記フォーマット検出ステップにおいて検出されたフォーマットとを比較する比較ステップと、
前記比較ステップにおける比較の結果、両フォーマットが不一致であるならば、前記記録手段による記録を停止させ、両フォーマットが一致していれば、前記記録手段による記録を実行させる制御ステップと
を有することを特徴とするプログラム。
【請求項２１】
異なるフォーマットの複数のデータをそれぞれ受信可能な受信手段と、該受信手段によって受信されたデータを記録媒体に記録する記録手段とを備えた記録装置に適用される異種データ記録方法を、コンピュータに実行させるためのプログラムにおいて、
前記受信手段によって受信されたデータのフォーマットを検出するフォーマット検出ステップと、
前記受信手段が受信可能なデータのフォーマットと、前記フォーマット検出ステップにおいて検出されたフォーマットとを比較する比較ステップと、
前記比較ステップにおける比較の結果、両フォーマットが不一致であるならば、前記受信手段によって受信すべきデータのフォーマットを、前記フォーマット検出ステップにおいて検出されたフォーマットと一致するフォーマットに設定する設定ステップと
を有することを特徴とするプログラム。
【請求項２２】
異なるフォーマットの複数のデータをそれぞれ受信可能な受信手段と、該受信手段によって受信されたデータを記録媒体に記録する記録手段とを備えた記録装置に適用される異種データ記録方法を、コンピュータに実行させるためのプログラムにおいて、
前記受信手段によって受信されたデータのフォーマットを検出するフォーマット検出ステップと、
前記記録媒体に記録されるべきデータのフォーマットの指定を受け取る受取ステップと、
前記受取ステップにおいて受け取られたフォーマットと、前記フォーマット検出ステップにおいて検出されたフォーマットとを比較する第１の比較ステップと、
前記第１の比較ステップにおける比較の結果、両フォーマットが不一致であるならば、前記記録手段による記録を停止させ、両フォーマットが一致していれば、前記記録手段による記録を実行させる制御ステップと、
前記受信手段が受信可能なデータのフォーマットと、前記フォーマット検出ステップにおいて検出されたフォーマットとを比較する第２の比較ステップと、
前記第２の比較手段における比較の結果、両フォーマットが不一致であるならば、前記受信手段によって受信すべきデータのフォーマットを、前記フォーマット検出ステップにおいて検出されたフォーマットと一致するフォーマットに設定する設定ステップと
を有することを特徴とするプログラム。
【請求項２３】
異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法を、コンピュータに実行させるためのプログラムにおいて、
前記再生手段によって再生されたデータのフォーマットを検出するフォーマット検出ステップと、
前記外部装置に送信すべきデータのフォーマットの指定を受け取る受取ステップと、
前記受取ステップにおいて受け取られたフォーマットと、前記フォーマット検出ステップにおいて検出されたフォーマットとが一致していれば、前記送信手段による前記データの送信を実行させ、一致していない場合には前記送信手段による前記データの送信を禁止する制御ステップと
を有することを特徴とするプログラム。
【請求項２４】
異なるフォーマットで記録媒体に記録された複数のデータを再生する再生手段と、該再生手段によって再生された異なるフォーマットをそれぞれ持つ複数のデータを外部記憶装置にそれぞれ送信可能な送信手段とを備えたデータ出力装置に適用される異種データ出力方法を、コンピュータに実行させるためのプログラムにおいて、
前記再生手段によって再生されたデータのフォーマットを検出する再生データフォーマット検出ステップと、
前記外部記録装置が記録すべきデータのフォーマットを検出する外部設定フォーマット検出ステップと、
前記再生データフォーマット検出ステップによって検出されたフォーマットと、前記外部設定フォーマット検出ステップによって検出されたフォーマットとが一致していない場合には、前記送信手段を介して前記外部記録装置に対して記録待機コマンドを送信するコマンド送信ステップと、
前記記録待機コマンド送信後、前記再生データフォーマット検出ステップによって検出されたフォーマットと、前記外部設定フォーマット検出ステップによって検出されたフォーマットとが一致したことに応じて、前記再生手段による再生と前記送信手段による送信とを実行させる制御ステップと
を有することを特徴とするプログラム。
【請求項２５】
異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法を、コンピュータに実行させるためのプログラムにおいて、
前記再生手段によって再生されたデータのフォーマットを検出する再生データフォーマット検出ステップと、
前記外部装置で設定されているフォーマットを検出する外部設定フォーマット検出ステップと、
前記再生データフォーマット検出ステップにおいて検出されたフォーマットと、前記外部設定フォーマット検出ステップにおいて検出されたフォーマットとが一致していないとき、前記送信手段によって送信すべきデータのフォーマットを、前記再生データフォーマット検出ステップにおいて検出されたフォーマットと一致するフォーマットに設定する設定ステップと
を有することを特徴とするプログラム。
【発明の詳細な説明】
【技術分野】
【０００１】
本発明は、記録装置、データ出力装置、異種データ記録方法、異種データ出力方法、及びプログラムに関し、特に、フォーマットの異なるデータを同一の記録媒体に記録する記録装置、フォーマットの異なるデータを記録装置に送信するデータ出力装置、前記記録装置に適用される異種データ記録方法、前記データ出力装置に適用される異種データ出力方法、及び前記異種データ記録方法および前記異種データ出力方法をコンピュータに実行させるためのプログラムに関する。
【背景技術】
【０００２】
従来、画像信号をデジタル信号として磁気テープに記録再生するデジタルＶＴＲ（Video Tape Recorder）が知られている。また、近年では、従来の標準解像度（ＳＤ）画像ではなく、高精細（ＨＤ）画像にて撮影し、ＭＰＥＧ方式で符号化して磁気テープに記録するデジタルＶＴＲも登場している（例えば、特許文献１参照）。
【０００３】
ＳＤ信号を記録する民生用のデジタルＶＴＲの規格として、ＤＶ方式が提案され、更に、ＨＤ信号を記録する民生用のデジタルＶＴＲの規格としてＨＤＶ方式が提案されている。ＨＤＶ方式では、ＤＶ方式と同様の磁気テープに対して、ＭＰＥＧ符号化した画像信号を記録する。
【０００４】
また、上述のデジタルＶＴＲは、画像データを符号化された状態のまま外部に出力するためのデジタルＩ／Ｆ（インターフェース）を備えている。そこで、２台のデジタルＶＴＲをデジタルＩ／Ｆにて接続し、ダビングを行うことが可能である。その際、再生して送信する側がＨＤＶ方式のデジタルＶＴＲであり、受信して記録する側がＤＶ方式のデジタルＶＴＲである場合、両者がそれぞれ扱う信号の形式が異なるため、受信記録側がそのまま記録することができない。そのため、再生送信側であるＨＤＶ方式のデジタルＶＴＲにおいて、ＭＰＥＧ符号化されたＨＤＶ方式のデータをＤＶ方式のデータに変換して送信することが行われ、これによって、ダビングを可能にしている。
【特許文献１】特開２００１−２７５０７７号公報
【発明の開示】
【発明が解決しようとする課題】
【０００５】
ところで、前述のように、ＨＤＶ方式のデジタルＶＴＲとＤＶ方式のデジタルＶＴＲとが同一種類の磁気テープを使用するため、ＤＶ方式でＳＤ信号を得、またＨＤＶ方式でＨＤ信号を得て、両信号を１本の磁気テープの前後位置に記録するようにしたデジタルＶＴＲが登場している。
【０００６】
このようなデジタルＶＴＲに記録された画像データを再生する場合、磁気テープ上においてＤＶ方式のＳＤ信が記録された部分と、ＨＤＶ方式のＨＤ信号が記録された部分との境界においては、画像信号の再生方式を切り替える必要がある。
【０００７】
そのため、ＨＤＶ方式の画像データとＤＶ方式の画像データとが混在して記録されている磁気テープから再生された画像データを、上記従来の２台のデジタルＶＴＲにおいてデジタルＩ／Ｆを介してダビングする場合、正常なダビングができない可能性があった。すなわち、ダビング元のデジタルＶＴＲでは、磁気テープの上記境界において画像信号の再生方式を切り替えねばならないが、ダビングを停止しない限り、この切り替えを行っている間、ダビング先のデジタルＶＴＲには正常な画像信号が送信されず、ダビング先のデジタルＶＴＲでは全く無意味なデータが記録されてしまうといった問題があった。
【０００８】
また、このようなダビングする際には、操作者が、磁気テープの上記境界において画像信号の再生方式を切り替える操作を行う必要があり、こうした操作を行わなくともダビングが可能であることが望ましかった。
という問題点があった。
【０００９】
本発明はこのような問題点に鑑みてなされたものであって、異なるフォーマットの複数のデータが混在して記録された磁気テープのダビングを行う際に、良好な作業性を確保することを可能にした記録装置、データ出力装置、異種データ記録方法、異種データ出力方法、及びプログラムを提供することを目的とする。
【課題を解決するための手段】
【００１０】
上記目的を達成するために、請求項１記載の発明によれば、異なるフォーマットの複数のデータをそれぞれ受信可能な受信手段と、前記受信手段によって受信されたデータのフォーマットを検出するフォーマット検出手段と、前記受信手段によって受信されたデータを記録媒体に記録する記録手段と、前記記録媒体に記録されるべきデータのフォーマットの指定を受け取る受取手段と、前記受取手段によって受け取られたフォーマットと、前記フォーマット検出手段によって検出されたフォーマットとを比較する比較手段と、前記比較手段による比較の結果、両フォーマットが不一致であるならば、前記記録手段による記録を停止させ、両フォーマットが一致していれば、前記記録手段による記録を実行させる制御手段とを有することを特徴とする記録装置が提供される。
【００１１】
また、請求項２記載の発明によれば、異なるフォーマットの複数のデータをそれぞれ受信可能な受信手段と、前記受信手段によって受信されたデータのフォーマットを検出するフォーマット検出手段と、前記受信手段によって受信されたデータを記録媒体に記録する記録手段と、前記受信手段が受信可能なデータのフォーマットと、前記フォーマット検出手段によって検出されたフォーマットとを比較する比較手段と、前記比較手段による比較の結果、両フォーマットが不一致であるならば、前記受信手段によって受信すべきデータのフォーマットを、前記フォーマット検出手段によって検出されたフォーマットと一致するフォーマットに設定する設定手段とを有することを特徴とする記録装置が提供される。
【００１２】
また、請求項３記載の発明によれば、異なるフォーマットの複数のデータをそれぞれ受信可能な受信手段と、前記受信手段によって受信されたデータのフォーマットを検出するフォーマット検出手段と、前記受信手段によって受信されたデータを記録媒体に記録する記録手段と、前記記録媒体に記録されるべきデータのフォーマットの指定を受け取る受取手段と、前記受取手段によって受け取られたフォーマットと、前記フォーマット検出手段によって検出されたフォーマットとを比較する第１の比較手段と、前記第１の比較手段による比較の結果、両フォーマットが不一致であるならば、前記記録手段による記録を停止させ、両フォーマットが一致していれば、前記記録手段による記録を実行させる制御手段と、前記受信手段が受信可能なデータのフォーマットと、前記フォーマット検出手段によって検出されたフォーマットとを比較する第２の比較手段と、前記第２の比較手段による比較の結果、両フォーマットが不一致であるならば、前記受信手段によって受信すべきデータのフォーマットを、前記フォーマット検出手段によって検出されたフォーマットと一致するフォーマットに設定する設定手段とを有することを特徴とする記録装置が提供される。
【００１３】
また、請求項８記載の発明によれば、異なるフォーマットで記録媒体に記録された複数のデータを再生する再生手段と、前記再生手段によって再生された異なるフォーマットをそれぞれ持つ複数のデータを外部装置にそれぞれ送信可能な送信手段と、前記再生手段によって再生されたデータのフォーマットを検出するフォーマット検出手段と、前記外部装置に送信すべきデータのフォーマットの指定を受け取る受取手段と、前記受取手段によって受け取られたフォーマットと、前記フォーマット検出手段によって検出されたフォーマットとが一致していれば、前記送信手段による前記データの送信を実行させ、一致していない場合には前記送信手段による前記データの送信を禁止する制御手段とを有することを特徴とするデータ出力装置が提供される。
【００１４】
また、請求項９記載の発明によれば、異なるフォーマットで記録媒体に記録された複数のデータを再生する再生手段と、前記再生手段によって再生された異なるフォーマットをそれぞれ持つ複数のデータを外部記録装置にそれぞれ送信可能な送信手段と、前記再生手段によって再生されたデータのフォーマットを検出する再生データフォーマット検出手段と、前記外部記録装置が記録すべきデータのフォーマットを検出する外部設定フォーマット検出手段と、前記再生データフォーマット検出手段によって検出されたフォーマットと、前記外部設定フォーマット検出手段によって検出されたフォーマットとが一致していない場合には、前記送信手段を介して前記外部記録装置に対して記録待機コマンドを送信するコマンド送信手段と、前記記録待機コマンド送信後、前記再生データフォーマット検出手段によって検出されたフォーマットと、前記外部設定フォーマット検出手段によって検出されたフォーマットとが一致したことに応じて、前記再生手段による再生と前記送信手段による送信とを実行させる制御手段とを有することを特徴とするデータ出力装置が提供される。
【００１５】
また、請求項１０記載の発明によれば、異なるフォーマットで記録媒体に記録された複数のデータを再生する再生手段と、前記再生手段によって再生された異なるフォーマットをそれぞれ持つ複数のデータを外部装置にそれぞれ送信可能な送信手段と、前記再生手段によって再生されたデータのフォーマットを検出する再生データフォーマット検出手段と、前記外部装置で設定されているフォーマットを検出する外部設定フォーマット検出手段と、前記再生データフォーマット検出手段によって検出されたフォーマットと、前記外部設定フォーマット検出手段によって検出されたフォーマットとが一致していないとき、前記送信手段によって送信すべきデータのフォーマットを、前記再生データフォーマット検出手段によって検出されたフォーマットと一致するフォーマットに設定する設定手段とを有することを特徴とするデータ出力装置が提供される。
【００１６】
また、請求項１４記載の発明によれば、異なるフォーマットの複数のデータをそれぞれ受信可能な受信手段と、該受信手段によって受信されたデータを記録媒体に記録する記録手段とを備えた記録装置に適用される異種データ記録方法において、前記受信手段によって受信されたデータのフォーマットを検出するフォーマット検出ステップと、前記記録媒体に記録されるべきデータのフォーマットの指定を受け取る受取ステップと、前記受取ステップにおいて受け取られたフォーマットと、前記フォーマット検出ステップにおいて検出されたフォーマットとを比較する比較ステップと、前記比較ステップにおける比較の結果、両フォーマットが不一致であるならば、前記記録手段による記録を停止させ、両フォーマットが一致していれば、前記記録手段による記録を実行させる制御ステップとを有することを特徴とする異種データ記録方法が提供される。
【００１７】
また、請求項１５記載の発明によれば、異なるフォーマットの複数のデータをそれぞれ受信可能な受信手段と、該受信手段によって受信されたデータを記録媒体に記録する記録手段とを備えた記録装置に適用される異種データ記録方法において、前記受信手段によって受信されたデータのフォーマットを検出するフォーマット検出ステップと、前記受信手段が受信可能なデータのフォーマットと、前記フォーマット検出ステップにおいて検出されたフォーマットとを比較する比較ステップと、前記比較ステップにおける比較の結果、両フォーマットが不一致であるならば、前記受信手段によって受信すべきデータのフォーマットを、前記フォーマット検出ステップにおいて検出されたフォーマットと一致するフォーマットに設定する設定ステップとを有することを特徴とする異種データ記録方法が提供される。
【００１８】
また、請求項１６記載の発明によれば、異なるフォーマットの複数のデータをそれぞれ受信可能な受信手段と、該受信手段によって受信されたデータを記録媒体に記録する記録手段とを備えた記録装置に適用される異種データ記録方法において、前記受信手段によって受信されたデータのフォーマットを検出するフォーマット検出ステップと、前記記録媒体に記録されるべきデータのフォーマットの指定を受け取る受取ステップと、前記受取ステップにおいて受け取られたフォーマットと、前記フォーマット検出ステップにおいて検出されたフォーマットとを比較する第１の比較ステップと、前記第１の比較ステップにおける比較の結果、両フォーマットが不一致であるならば、前記記録手段による記録を停止させ、両フォーマットが一致していれば、前記記録手段による記録を実行させる制御ステップと、前記受信手段が受信可能なデータのフォーマットと、前記フォーマット検出ステップにおいて検出されたフォーマットとを比較する第２の比較ステップと、前記第２の比較手段における比較の結果、両フォーマットが不一致であるならば、前記受信手段によって受信すべきデータのフォーマットを、前記フォーマット検出ステップにおいて検出されたフォーマットと一致するフォーマットに設定する設定ステップとを有することを特徴とする異種データ記録方法が提供される。
【００１９】
また、請求項１７記載の発明によれば、異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法において、前記再生手段によって再生されたデータのフォーマットを検出するフォーマット検出ステップと、前記外部装置に送信すべきデータのフォーマットの指定を受け取る受取ステップと、前記受取ステップにおいて受け取られたフォーマットと、前記フォーマット検出ステップにおいて検出されたフォーマットとが一致していれば、前記送信手段による前記データの送信を実行させ、一致していない場合には前記送信手段による前記データの送信を禁止する制御ステップとを有することを特徴とする異種データ出力方法が提供される。
【００２０】
また、請求項１８記載の発明によれば、異なるフォーマットで記録媒体に記録された複数のデータを再生する再生手段と、該再生手段によって再生された異なるフォーマットをそれぞれ持つ複数のデータを外部記録装置にそれぞれ送信可能な送信手段とを備えたデータ出力装置に適用される異種データ出力方法において、前記再生手段によって再生されたデータのフォーマットを検出する再生データフォーマット検出ステップと、前記外部記録装置が記録すべきデータのフォーマットを検出する外部設定フォーマット検出ステップと、前記再生データフォーマット検出ステップによって検出されたフォーマットと、前記外部設定フォーマット検出ステップによって検出されたフォーマットとが一致していない場合には、前記送信手段を介して前記外部記録装置に対して記録待機コマンドを送信するコマンド送信ステップと、前記記録待機コマンド送信後、前記再生データフォーマット検出ステップによって検出されたフォーマットと、前記外部設定フォーマット検出ステップによって検出されたフォーマットとが一致したことに応じて、前記再生手段による再生と前記送信手段による送信とを実行させる制御ステップとを有することを特徴とする異種データ出力方法が提供される。
【００２１】
また、請求項１９記載の発明によれば、異なるフォーマットで記録媒体に記録された複数のデータを再生する再生手段と、該再生手段によって再生された異なるフォーマットをそれぞれ持つ複数のデータを外部装置にそれぞれ送信可能な送信手段とを備えたデータ出力装置に適用される異種データ出力方法において、前記再生手段によって再生されたデータのフォーマットを検出する再生データフォーマット検出ステップと、前記外部装置で設定されているフォーマットを検出する外部設定フォーマット検出ステップと、前記再生データフォーマット検出ステップにおいて検出されたフォーマットと、前記外部設定フォーマット検出ステップにおいて検出されたフォーマットとが一致していないとき、前記送信手段によって送信すべきデータのフォーマットを、前記再生データフォーマット検出ステップにおいて検出されたフォーマットと一致するフォーマットに設定する設定ステップとを有することを特徴とする異種データ出力方法が提供される。
【００２２】
さらに、上記異種データ記録方法および異種データ出力方法をコンピュータに実行させるためのプログラムが提供される。
【発明の効果】
【００２３】
本発明によれば、記録装置において、記録媒体に記録されるべきデータのフォーマットと、受信データのフォーマットとを比較し、両フォーマットが不一致であるならば、受信データを記録媒体に記録する記録手段による記録を停止させ、両フォーマットが一致していれば、前記記録手段による記録を実行させる。
【００２４】
また、記録装置において、異なるフォーマットの複数のデータをそれぞれ受信可能な受信手段において受信可能なデータのフォーマットと、受信されたデータのフォーマットとが不一致であるならば、前記受信手段によって受信すべきデータのフォーマットを、受信されたデータのフォーマットと一致するように設定する。
また、データ出力装置において、外部装置に送信すべきデータのフォーマットとして指定されたフォーマットと、記録媒体に記録されたデータを再生する再生手段によって再生されたデータのフォーマットとが一致していれば、送信手段によるデータ送信を実行させる。
【００２５】
また、データ出力装置において、再生手段によって再生されたデータのフォーマットと、外部記録装置が記録すべきデータのフォーマットとが一致していない場合、送信手段を介して前記外部記録装置へ記録待機コマンドを送信する。この記録待機コマンド送信後、再生手段によって再生されたデータのフォーマットと、外部記録装置が記録すべきデータのフォーマットとが一致したことに応じて、再生手段による再生と送信手段による送信とを実行させる。
【００２６】
また、データ出力装置において、再生手段によって再生されたデータのフォーマット形式と、外部装置で設定されているフォーマット形式とが一致していないとき、送信手段によって送信すべきデータのフォーマット形式を、再生手段によって再生されたデータのフォーマット形式と一致するように設定する。
【００２７】
これにより、異なるフォーマット形式の複数のデータが混在して記録された磁気テープのダビングを行う際に、良好な作業性を確保することができる。
【発明を実施するための最良の形態】
【００２８】
以下、本発明を実施するための最良の形態について、図面を参照して説明する。
【００２９】
〔第１の実施の形態〕
図１は、本発明の第１の実施の形態に係る記録装置の要部構成を示すブロック図である。なお、この記録装置は、ＣＰＵ，ＲＡＭ，ＲＯＭ等から成る制御装置を含み、該制御装置が所定の制御プログラムを実行することによって、図１に示す各部の機能を実現するものである。
【００３０】
図１において１１は、ＩＥＥＥ１３９４規格に準ずる通信方式を用いたデジタルインターフェース（Ｉ／Ｆ）部であり、不図示のデータ出力装置（再生機）から送信されたＤＶフォーマットデータまたはＭＰＥＧフォーマットデータの受信を行う。
【００３１】
ＩＥＥＥ１３９４規格ではアシンクロナス（非同期）転送とアイソクロナス（等時性）転送の２つの転送モードをサポートしている。アシンクロナス転送は、接続先機器の制御を行うための制御コマンド等を転送するものである。アイソクロナス転送は、データ出力装置で再生されたデータを、アイソクロナスパケットを用いて転送するものである。アイソクロナスパケットは、アイソクロナスパケットヘッダ、ＣＩＰ（Common Isochronous Packets）ヘッダ、データブロックより構成される。転送されるデータのフォーマットは、ＣＩＰヘッダのＦＭＴ領域によって識別され、例えばＦＭＴ領域に「００００００」が記載されているならばＤＶフォーマット、「１０００００」が記載されているならばＭＰＥＧフォーマットと規定されている。
【００３２】
このＦＭＴ領域のデータは、フォーマット検出部１２に入力され、ＭＰＥＧ／ＤＶフォーマット検出が行われる。
【００３３】
１３は、操作者がダビング記録したいデータのフォーマットを選択し指定するためのフォーマット選択部である。１４は記録部であり、操作者によって選択されてフォーマット選択部１３に対して入力されたフォーマットに応じて、デジタルインターフェース部１１より出力されたデータを、図示しない記録媒体に記録する。
【００３４】
ここで、図２を参照して記録部１４の動作を説明する。
【００３５】
図２は、記録部１４において実行される記録処理の手順を示すフローチャートである。
【００３６】
記録部１４はまずステップＳ２１にて、操作者によって選択されてフォーマット選択部１３に対して入力されたフォーマット（記録モード）がＭＰＥＧモードであるか、ＤＶモードであるかを判別する。その結果、ＭＰＥＧモードが選択され入力されたと判別するとステップＳ２８に進み、ＤＶモードが選択され入力されたと判別するとステップＳ２２に進む。
【００３７】
ステップＳ２２では、デジタルインターフェース部１１を、ＤＶフォーマットデータを受信可能な状態に設定する。次いでステップＳ２３で、デジタルインターフェース部１１にデータが入力されているか否かを判別する。データが入力されているならばステップＳ２４に進み、データが入力されていないならばステップＳ２７に進む。
【００３８】
ステップＳ２４では、フォーマット検出部１２でＤＶフォーマットが検出されたか否かを判別する。その結果、ＤＶフォーマットが検出された場合はステップＳ２５に進み、ＤＶフォーマットが検出されない場合はステップＳ２６に進む。
【００３９】
ステップＳ２５では、デジタルインターフェース部１１より入力されたＤＶフォーマットデータを記録媒体に記録する。一方、ステップＳ２６では、データ記録を行わず待機する。ステップＳ２５またはステップＳ２６の実行後はステップＳ２３へ戻り、デジタルインターフェース部１１にデータが入力されなくなるまで、ステップＳ２３〜Ｓ２６の処理を繰り返す。
【００４０】
そして、デジタルインターフェース部１１にデータが入力されなくなるとステップＳ２７へ進んで、記録部１４での記録処理を終了する。
【００４１】
ステップＳ２８では、デジタルインターフェース部１１を、ＭＰＥＧフォーマットデータを受信可能な状態に設定する。次いでステップＳ２９で、デジタルインターフェース部１１にデータが入力されているか否かを判別する。データが入力されているならばステップＳ２１０に進み、データが入力されていないならばステップＳ２７に進む。
【００４２】
ステップＳ２１０では、フォーマット検出部１２でＭＰＥＧフォーマットが検出されたか否かを判別する。その結果、ＭＰＥＧフォーマットが検出された場合はステップＳ２１１に進み、ＭＰＥＧフォーマットが検出されない場合はステップＳ２１２に進む。
【００４３】
ステップＳ２１１では、デジタルインターフェース部１１より入力されたＭＰＥＧフォーマットデータを記録媒体に記録する。一方、ステップＳ２１２では、データ記録を行わず待機する。ステップＳ２１１またはステップＳ２１２の実行後はステップＳ２９へ戻り、デジタルインターフェース部１１にデータが入力されなくなるまで、ステップＳ２９〜Ｓ２１２の処理を繰り返す。
【００４４】
そして、デジタルインターフェース部１１にデータが入力されなくなるとステップＳ２７へ進んで、記録部１４での記録処理を終了する。
【００４５】
このように、第１の実施の形態では、操作者によって選択されてフォーマット選択部１３に対して入力されたフォーマット形式とフォーマット検出部１２で検出された入力データのフォーマットとが一致すれば記録媒体へ記録を実行し、不一致の場合は記録を行わないようにする。これによって、ＭＰＥＧフォーマットの画像データとＤＶフォーマットの画像データとが混在して記録された磁気テープのダビングを行う際に、良好な作業性を確保することが可能になる。
【００４６】
〔第２の実施の形態〕
図３は、本発明の第２の実施の形態に係る記録装置の要部構成を示すブロック図である。なお、この記録装置は、ＣＰＵ，ＲＡＭ，ＲＯＭ等から成る制御装置を含み、該制御装置が所定の制御プログラムを実行することによって、図３に示す各部の機能を実現するものである。
【００４７】
図３において３１は、ＩＥＥＥ１３９４規格に準ずる通信方式を用いたデジタルインターフェース部、３２は、ＣＩＰヘッダのＦＭＴ領域の記載内容により、デジタルインターフェース部３１で受信したデータのフォーマットを検出するフォーマット検出部、３３は、デジタルインターフェース部１１で受信したデータを記録媒体に記録する記録部である。３４は制御部であり、記録部３３の記録動作を制御するとともに、デジタルインターフェース部３１を介して接続される不図示のデータ出力装置を制御するための制御コマンドを生成して出力する。
【００４８】
ここで、図４を参照して制御部３４の動作を説明する。
【００４９】
図４は、制御部３４において実行されるダビング処理の手順を示すフローチャートである。
【００５０】
まずステップＳ４１にて、制御部３４は、デジタルインターフェース部３１にデータが入力されているか否かを判別する。データが入力されているならばステップＳ４２に進み、データが入力されていないならばステップＳ４１１に進む。
【００５１】
ステップＳ４２では、デジタルインターフェース部３１が受信可能状態としているフォーマット形式とフォーマット検出部３２で検出されたフォーマット形式とが一致しているか否かを判別する。フォーマット形式が一致しているならばステップＳ４９へ進み、一致していないならばステップＳ４３へ進む。
【００５２】
ステップＳ４９では、制御部３４がデジタルインターフェース部３１に再生要求コマンドを出力し、次のステップＳ４１０では、制御部３４が記録部３３に記録要求を出力して、ダビング動作を実行する。
【００５３】
一方、ステップＳ４３では、制御部３４がデジタルインターフェース部３１に再生待機要求コマンドを出力し、次のステップＳ４４では、制御部３４が記録部３３に記録待機要求を出力して、ダビング動作を中断する。
【００５４】
次いでステップＳ４５において、フォーマット検出部３２で検出されたフォーマット形式がＤＶフォーマットであるか、ＭＰＥＧフォーマットであるかを判別し、ＤＶフォーマットであるならばステップＳ４６へ進み、ＭＰＥＧフォーマットであるならばステップＳ４７へ進む。
【００５５】
ステップＳ４６では、デジタルインターフェース部３１をＤＶフォーマットデータが受信可能な状態に設定し、ステップＳ４７では、デジタルインターフェース部３１をＭＰＥＧフォーマットデータが受信可能な状態に設定する。
【００５６】
次のステップＳ４８では、デジタルインターフェース部３１で設定されたフォーマット形式とフォーマット検出部３２で検出されたフォーマット形式とが一致したか否かを判別する。一致しない場合には一致するまで待機する。フォーマット形式が一致すると、ステップＳ４９に進んで、制御部３４がデジタルインターフェース部３１に再生要求コマンドを出力し、次のステップＳ４１０では、制御部３４が記録部３３に記録要求を出力して、ダビング動作を実行する。
【００５７】
以上のステップＳ４１〜Ｓ４１０の処理は、ステップＳ４１でデジタルインターフェース部３１にデータが入力されていないと判別されるまで繰り返される。そしてステップＳ４１でデータが入力されていないと判別されるとステップＳ４１１に進む。
【００５８】
ステップＳ４１１では、制御部３４がデジタルインターフェース部３１に再生停止要求コマンドを出力し、次のステップＳ４１２では、制御部３４が記録部３３に記録停止要求を出力して、ダビング処理を終了する。
【００５９】
このように、第２の実施の形態では、デジタルインターフェース部３１が受信可能なデータのフォーマット形式とフォーマット検出部３２で検出されたフォーマット形式とが一致しない場合、デジタルインターフェース部３１を、フォーマット検出部３２で検出されたフォーマット形式と同じフォーマット形式のデータを受信する受信状態に設定する。これによって、ＭＰＥＧフォーマットの画像データとＤＶフォーマットの画像データとが混在して記録された磁気テープのダビングを行う際に、良好な作業性を確保することが可能になる。
【００６０】
〔第３の実施の形態〕
図５は、本発明の第３の実施の形態に係る記録装置の要部構成を示すブロック図である。第３の実施の形態における記録装置の構成は、基本的に第２の実施の形態における記録装置の構成と同じであるので、同一部分には同一符号を付してその説明を省略する。
【００６１】
図３に示す第２の実施の形態における記録装置の構成に対して、第３の実施の形態では、操作者がダビング記録したいデータのフォーマットを選択し入力するためのフォーマット選択部９５が追加される点が異なっている。なお、このフォーマット選択部９５ではＤＶ＆ＭＰＥＧモードを選択し入力できる。また、この追加に伴い、第２の実施の形態における制御部３４は、これとは異なる制御を行う制御部９４に置き換えられる。
【００６２】
ここで、図６および図７を参照して制御部９４の動作を説明する。
【００６３】
図６および図７は、制御部９４において実行されるダビング処理の手順を示すフローチャートである。
【００６４】
制御部９４はまずステップＳ１０１にて、操作者によって選択されてフォーマット選択部９５に対して入力されたフォーマット（記録モード）がＭＰＥＧモードであるか、ＤＶモードであるか、またはＤＶ＆ＭＰＥＧモードであるかを判別する。その結果、ＭＰＥＧモードであるならばステップＳ１０８に進み、ＤＶモードであるならばステップＳ１０２に進み、ＤＶ＆ＭＰＥＧモードであるならばステップＳ１０１３に進む。
【００６５】
ステップＳ１０２では、デジタルインターフェース部３１を、ＤＶフォーマットデータを受信可能な状態に設定する。次いでステップＳ１０３で、デジタルインターフェース部３１にデータが入力されているか否かを判別する。その結果、データが入力されているならばステップＳ１０４に進み、データが入力されていないならばステップＳ１０７に進む。
【００６６】
ステップＳ１０４では、フォーマット検出部３２でＤＶフォーマットが検出されたか否かを判別する。その結果、ＤＶフォーマットが検出された場合はステップＳ１０５に進み、ＤＶフォーマットが検出されない場合はステップＳ１０６に進む。
【００６７】
ステップＳ１０５では、記録部３３に記録要求を出力してダビングを実行する。一方、ステップＳ１０６では、記録部３３に記録待機要求を出力してダビングを中断する。ステップＳ１０５またはステップＳ１０６の実行後はステップＳ１０３へ戻り、デジタルインターフェース部３１にデータが入力されなくなるまで、ステップＳ１０３〜Ｓ１０６の処理を繰り返す。
【００６８】
そして、デジタルインターフェース部３１にデータが入力されなくなるとステップＳ１０７へ進んで、記録部３３に記録終了要求を出力し、ダビング処理を終了する。
【００６９】
ステップＳ１０８では、デジタルインターフェース部３１を、ＭＰＥＧフォーマットデータを受信可能な状態に設定する。次いでステップＳ１０９で、デジタルインターフェース部３１にデータが入力されているか否かを判別する。その結果、データが入力されているならばステップＳ１０１０に進み、データが入力されていないならばステップＳ１０７に進む。
【００７０】
ステップＳ１０１０では、フォーマット検出部３２でＭＰＥＧフォーマットが検出されたか否かを判別する。その結果、ＭＰＥＧフォーマットが検出された場合はステップＳ１０１１に進み、ＭＰＥＧフォーマットが検出されない場合はステップＳ１０１２に進む。
【００７１】
ステップＳ１０１１では、記録部３３に記録要求を出力して、デジタルインターフェース部３１より入力されたＭＰＥＧフォーマットデータのダビングを実行する。一方、ステップＳ１０１２では、記録部３３に記録待機要求を出力してダビングを中断する。ステップＳ１０１１またはステップＳ１０１２の実行後はステップＳ１０９へ戻り、デジタルインターフェース部３１にデータが入力されなくなるまで、ステップＳ１０９〜Ｓ１０１２の処理を繰り返す。
【００７２】
そして、デジタルインターフェース部３１にデータが入力されなくなるとステップＳ１０７へ進んで、記録部３３に記録終了要求を出力し、ダイビング処理を終了する。
【００７３】
次に図７のステップＳ１０１３以降の処理を説明する。
【００７４】
ＤＶフォーマットデータとＭＰＥＧフォーマットデータとの両方のフォーマットデータが入力され得るＤＶ＆ＭＰＥＧモードが操作者によって選択され、フォーマット選択部９５に対して入力された場合、ステップＳ１０１からステップＳ１０１３に進む。ステップＳ１０１３では、制御部９４が、デジタルインターフェース部３１にデータが入力されているか否かを判別する。データが入力されているならばステップＳ１０１４へ進み、データが入力されていないならばステップＳ１０２３へ進む。
【００７５】
ステップＳ１０１４では、デジタルインターフェース部３１が受信可能状態となっているフォーマット形式とフォーマット検出部３２で検出されたフォーマット形式とが一致しているか否かを判別する。フォーマット形式が一致しているならばステップＳ１０２１へ進み、フォーマット形式が一致していないならばステップＳ１０１５へ進む。
【００７６】
ステップＳ１０２１では、制御部９４がデジタルインターフェース部３１に再生要求コマンドを出力し、つぎのステップＳ１０２２では、制御部９４が記録部３３に記録要求を出力して、ダビング動作を実行する。
【００７７】
一方、ステップＳ１０１５では、制御部９４がデジタルインターフェース部３１に再生待機要求コマンドを出力し、つぎのステップＳ１０１６では、制御部９４が記録部３３に記録待機要求を出力して、ダビング動作を中断する。
【００７８】
次いでステップＳ１０１７で、フォーマット検出部３２で検出されたフォーマット形式がＤＶフォーマットであるか、ＭＰＥＧフォーマットであるかを判別する。ＤＶフォーマットであるならばステップＳ１０１８へ進み、ＭＰＥＧフォーマットであるならばステップＳ１０１９へ進む。
【００７９】
ステップＳ１０１８では、デジタルインターフェース部３１を、ＤＶフォーマットデータを受信可能な状態に設定し、ステップＳ１０１９では、デジタルインターフェース部３１を、ＭＰＥＧフォーマットデータを受信可能な状態に設定し、ステップＳ１０２０へ進む。
【００８０】
ステップＳ１０２０では、デジタルインターフェース部３１での設定が完了し、デジタルインターフェース部３１での設定されたフォーマット形式とフォーマット検出部３２で検出されたフォーマット形式とが一致するまで待機する。フォーマット形式が一致すると、ステップＳ１０２１へ進む。
【００８１】
そして、ステップＳ１０１３〜Ｓ１０２２の処理が、ステップＳ１０１３でデータが入力されていないと判別されるまで繰り返す。そしてステップＳ１０１３でデータが入力されていないと判別されるとステップＳ１０２３へ進む。
【００８２】
ステップＳ１０２３では、制御部９４がデジタルインターフェース部３１に再生停止要求コマンドを出力し、記録部３３に記録停止要求を出力して、ダビング処理を終了する。
【００８３】
このように、第３の実施の形態では、ＤＶフォーマットデータとＭＰＥＧフォーマットデータとの両方のフォーマットデータが入力され得るＤＶ＆ＭＰＥＧモードが操作者によって選択され、フォーマット選択部９５に対して入力される場合がある。そうした場合、第２の実施の形態と同様に、デジタルインターフェース部３１が受信可能なデータのフォーマット形式とフォーマット検出部３２で検出されたフォーマット形式とが一致しない場合、デジタルインターフェース部３１を、フォーマット検出部３２で検出されたフォーマット形式と同じフォーマット形式のデータを受信する受信状態に設定する。これによって、ＭＰＥＧフォーマットの画像データとＤＶフォーマットの画像データとが混在して記録された磁気テープのダビングを行う際に、良好な作業性を確保することが可能になる。
【００８４】
〔第４の実施の形態〕
図８は、本発明の第４の実施の形態に係るデータ出力装置の要部構成を示すブロック図である。なお、このデータ出力装置は、ＣＰＵ，ＲＡＭ，ＲＯＭ等から成る制御装置を含み、該制御装置が所定の制御プログラムを実行することによって、図８に示す各部の機能を実現するものである。
【００８５】
図８において５１は、記録媒体に記録されたＤＶフォーマットデータまたはＭＰＥＧフォーマットデータデータを再生する再生部である。再生されるデータのフォーマットは、「ＤＶ規格」及び「ＨＤＶ規格」で規定されたＩＴＩセクタのＡＰＴ領域に記載された情報によって識別される。例えば、ＡＰＴ領域に「０００」が記載されている場合はＤＶフォーマット、「１０００００」が記載されている場合はＭＰＥＧフォーマットと識別される。このＡＰＴ領域に記載されたデータはフォーマット検出部５２に入力され、ＭＰＥＧ／ＤＶフォーマット検出が行われる。
【００８６】
５３は、操作者がダビング記録したいデータのフォーマットを選択し入力するためのフォーマット選択部である。５４は、ＩＥＥＥ１３９４規格に準ずる通信方式を用いたデジタルインターフェース（Ｉ／Ｆ）部であり、不図示の記録装置(記録機）へデータ送信を行う。デジタルインターフェース部５４は、再生部５１で再生されたデータを転送するためのアイソクロナス転送と、接続先機器の制御を行うための制御コマンドを転送するアシンクロナス転送との２つの転送モードをサポートしている。
【００８７】
５５は制御部であり、再生部５１の再生動作を制御すると共に、デジタルインターフェース部５４を介して接続される不図示の記録装置を制御するための制御コマンドを生成する。
【００８８】
つぎに、図９および図１０を参照して制御部５５で行われるダビング処理について説明する。
【００８９】
図９および図１０は、図８に示す制御部５５で行われるダビング処理の手順を示すフローチャートである。
【００９０】
まずステップＳ６１にて、制御部５５が、フォーマット選択部５３に対して操作者によって選択され入力されたモードがＨＤＶモードであるか（ＭＰＥＧフォーマットデータを送信可能なモード）、ＤＶモード（ＤＶフォーマットデータを送信可能なモード）であるかを判別する。その結果、ＨＤＶモードであるならばステップＳ６１１へ進み、ＤＶモードであるならばステップＳ６２へ進む。
【００９１】
ステップＳ６２では、デジタルインターフェース部５４を、ＤＶフォーマットデータを送信可能な状態に設定する（ＤＶモードに設定する）。次いでステップＳ６３で、制御部５５は再生部５１より再生データが出力されているか否かを判別する。再生データが出力されているならばステップＳ６４に進み、再生データが出力されていないならばステップＳ６９に進む。
【００９２】
ステップＳ６４では、制御部５５は、フォーマット検出部５２で検出されたフォーマットがＤＶフォーマットであるか否かを判別し、ＤＶフォーマットである（ＤＶデータが検出された）ならばステップＳ６５へ進み、ＤＶフォーマットでない（ＤＶデータが検出されない）ならばステップＳ６７へ進む。
【００９３】
ステップＳ６５では、制御部５５は再生部５１に再生要求を出力し、次のステップＳ６６では、デジタルインターフェース部５４に記録要求コマンドを出力し、ダビング処理を終了する。
【００９４】
ステップＳ６７では、制御部５５はデジタルインターフェース部５４に記録待機要求コマンドを出力し、つぎのステップＳ６８では、再生部５１にＤＶフォーマットデータを検索するためのサーチ要求を出力し、ダビングを中断する。
【００９５】
以上のステップＳ６３〜Ｓ６８の処理は、ステップＳ６３にて再生データが出力されていないと判別されるまで繰り返し行われる。そしてステップＳ６３にて再生データが出力されていないと判別されるとステップＳ６９に進み、制御部５５は再生部５１に再生終了要求を出力し、次のステップＳ６１０では、デジタルインターフェース部５４に記録終了要求コマンドを出力し、ダビング処理を終了する。
【００９６】
ステップＳ６１１では、制御部５５はデジタルインターフェース部５４を、ＭＰＥＧフォーマットデータを送信可能な状態に設定する（ＨＤＶモードに設定する）。次いでステップＳ６１２で、制御部５５は再生部５１より再生データが出力されているか否かを判別する。その結果、再生データが出力されているならばステップＳ６１３に進み、再生データが出力されていないならばステップＳ６９に進む。
【００９７】
ステップＳ６１３では、制御部５５は、フォーマット検出部５２で検出されたフォーマットがＨＤＶフォーマットであるか否かを判別し、ＨＤＶフォーマットである（ＨＤＶデータが検出された）ならばステップＳ６１４へ進み、ＨＤＶフォーマットでない（ＨＤＶデータが検出されない）ならばステップＳ６１６へ進む。
【００９８】
ステップＳ６１４では、制御部５５は再生部５１に再生要求を出力し、次のステップＳ６１５では、デジタルインターフェース部５４に記録要求コマンドを出力し、ダビングを実行する。
【００９９】
一方、ステップＳ６１６では、制御部５５はデジタルインターフェース部５４に記録待機要求を出力し、ステップＳ６１７では、再生部５１にＭＰＥＧフォーマットデータを検索するためのサーチ要求を出力し、ダビングを中断する。
【０１００】
以上のステップＳ６１２〜Ｓ６１７の処理は、ステップＳ６１２にて再生データが出力されていないと判断されるまで繰り返し行われる。そしてステップＳ６１２にて再生データが出力されていないと判断されるとステップＳ６９に進み、制御部５５は再生部５１に再生終了要求を出力し、次のステップＳ６１０では、デジタルインターフェース部５４に記録終了要求を出力し、ダビング処理を終了する。
【０１０１】
このように、第４の実施の形態では、操作者によって選択されてフォーマット選択部５３に対して入力されたフォーマット形式とフォーマット検出部５２で検出された再生データのフォーマットとが一致すれば、再生部５１での再生とデジタルインターフェース部５４での送信とを実行させる。一致しない場合には再生部５１での再生とデジタルインターフェース部５４での送信とを実行させない。これによって、ＭＰＥＧフォーマットの画像データとＤＶフォーマットの画像データとが混在して記録された磁気テープのダビングを行う際に、良好な作業性を確保することが可能になる。
【０１０２】
〔第５の実施の形態〕
図１１は、本発明の第５の実施の形態に係るデータ出力装置の要部構成を示すブロック図である。第５の実施の形態に係るデータ出力装置の構成は、基本的に図８に示す第４の実施の形態に係るデータ出力装置の構成と同じであるので、同一部分には同一の参照符号を付してその説明を省略する。
【０１０３】
第５の実施の形態でも、デジタルインターフェース部５４が、再生部５１からの再生データを転送するためのアイソクロナス転送と、接続先機器（記録装置）の制御を行うための制御コマンドを接続先機器へ転送するアシンクロナス転送との２つの転送モードをサポートしている。
【０１０４】
ところで、アシンクロナス転送では、接続先機器の状態を問い合わせるための制御コマンドが用意されている。例えば「AV/C Input Plug Signal Format」コマンドを利用することで接続先機器の状態を問い合わせることができ、この結果、ＣＩＰヘッダのＦＭＴ領域にフォーマット情報が記載されて接続先機器から送信されてくる。
【０１０５】
そこで、フォーマット設定検出部７４は、接続先機器となる記録装置から送信されたＣＩＰヘッダのＦＭＴ領域に記載されたフォーマット情報を検出する。
【０１０６】
制御部７５は、再生部５１の再生動作を制御すると共に、デジタルインターフェース部５４に接続された不図示の記録装置を制御するための制御コマンドを生成する。
【０１０７】
つぎに、図１２を参照して制御部７５で行われるダビング処理を説明する。
【０１０８】
図１２は、図１１の制御部７５で行われるダビング処理の手順を示すフローチャートである。
【０１０９】
まずステップＳ８１にて、制御部７５が、再生部５１より再生データが出力されているか否か判別する。再生データが出力されているならばステップＳ８２に進み、出力されていないならばステップＳ８８に進む。
【０１１０】
ステップＳ８２では、制御部７５が、フォーマット設定検出部７４で検出されたフォーマット形式とフォーマット検出部５２で検出されたフォーマット形式とが一致しているか否かを判別する。フォーマット形式が一致しているならばステップＳ８６へ進み、一致していないならばステップＳ８３へ進む。
【０１１１】
ステップＳ８６では、制御部７５が再生部５１に再生要求を出力し、次のステップＳ８７では、デジタルインターフェース部５４に記録要求コマンドを出力して、ダビング動作を実行する。
【０１１２】
ステップＳ８３では、制御部７５が再生部５１に再生待機要求を出力し、次のステップＳ８４では、デジタルインターフェース部５４に記録待機要求コマンドを出力して、ダビング動作を中断する。このとき記録装置側では、記録待機要求コマンドを受信すると共に、フォーマットの不一致を検出してフォーマット設定の切り替えを実行する。
【０１１３】
制御部７５ではステップＳ８５で、記録装置でのフォーマット設定の切り替えが完了し、フォーマット設定検出部７４で検出されたフォーマット形式とフォーマット検出部５２で検出されたフォーマット形式とが一致するまで待機する。ステップＳ８５でフォーマット形式が一致したと判別されるとステップＳ８６へ進む。
【０１１４】
ステップＳ８６では、制御部７５が再生部５１に再生要求を出力し、次のステップＳ８７では、デジタルインターフェース部５４に記録要求コマンドを出力して、ダビング動作を再開する。
【０１１５】
以上のステップＳ８１〜Ｓ８７の処理が、ステップＳ８１で再生データが出力されていないと判別されるまで繰り返される。そしてステップＳ８１で再生データが出力されていないと判別されるとステップＳ８８へ進み、制御部７５が再生部５１に再生停止要求を出力し、次のステップＳ８９では、デジタルインターフェース部５４に記録停止要求コマンドを出力して、ダビング処理を終了する。
【０１１６】
このように、第５の実施の形態では、フォーマット設定検出部７４で検出された記録装置側でのフォーマット形式とフォーマット検出部５２で検出された再生データのフォーマット形式とが一致していない場合に、記録待機要求コマンドを記録装置側へ送信する。その結果、記録装置側ではフォーマット形式の変更を行い、この変更後に、再生部５１でのデータ再生とデジタルインターフェース部５４での再生データの送信とを実行する。これによって、ＭＰＥＧフォーマットの画像データとＤＶフォーマットの画像データとが混在して記録された磁気テープのダビングを行う際に、良好な作業性を確保することが可能になる。
【０１１７】
〔第６の実施の形態〕
図１３は、本発明の第６の実施の形態に係るデータ出力装置の要部構成を示すブロック図である。第６の実施の形態に係るデータ出力装置の構成は、基本的に図１１に示す第５の実施の形態に係るデータ出力装置の構成と同じであるので、同一部分には同一の参照符号を付してその説明を省略する。
【０１１８】
第６の実施の形態では、操作者がダビング記録したいデータのフォーマットを選択し入力するためのフォーマット選択部１１６を設ける。また第５の実施の形態における制御部７５とは異なる制御を行う制御部１１５を設ける。
【０１１９】
図１４〜図１６は、制御部１１５で実行されるダビング処理の手順を示すフローチャートである。
【０１２０】
図１４および図１５に示すステップＳ１２１〜Ｓ１２１７の処理は、図９および図１０に示す第４の実施の形態におけるダビング処理のステップＳ６１〜Ｓ６１７の処理と同一である。そのため、ここではその説明を省略する。
【０１２１】
制御部１１５は、図１４に示すステップＳ１２１にて、操作者によって選択されてフォーマット選択部１１６に対して入力されたフォーマットがＭＰＥＧモード（ＨＤＶモード）であるか、ＤＶモードであるか、またはＤＶ＆ＭＰＥＧモードであるかを判別する。その結果、ＤＶ＆ＭＰＥＧモードが選択され入力されたと判別すると、図１６のステップＳ１２１８に進む。
【０１２２】
ステップＳ１２１８では、制御部１１５は再生部５１より再生データが出力されているか否かを判別する。再生データが出力されているならばステップＳ１２１９に進み、再生データが出力されていないならばステップＳ１２２８に進む。
【０１２３】
ステップＳ１２１９では、フォーマット設定検出部７４で検出されたフォーマット形式とフォーマット検出部５２で検出されたフォーマット形式とが一致しているか否かを判別する。フォーマット形式が一致しているならばステップＳ１２２６へ進み、一致していないならばステップＳ１２２０へ進む。
【０１２４】
ステップＳ１２２６では、制御部１１５が再生部５１に再生要求を出力し、次のステップＳ１２２７では、デジタルインターフェース部５４に記録要求コマンドを出力して、ダビング動作を実行する。
【０１２５】
一方、ステップＳ１２２０では、制御部１１５は再生部５１に再生待機要求を出力し、次のステップＳ１２２１では、デジタルインターフェース部５４に記録待機要求コマンドを出力して、ダビング動作を中断する。
【０１２６】
次いでステップＳ１０２２で、フォーマット検出部５２で検出されたフォーマット形式がＤＶフォーマットであるか、ＭＰＥＧフォーマットであるかを判別する。ＤＶフォーマットであるならばステップＳ１２２３へ進み、ＭＰＥＧフォーマットであるならばステップＳ１２２４へ進む。
【０１２７】
ステップＳ１２２３では、デジタルインターフェース部５４を、ＤＶフォーマットデータを受信可能な状態に設定し、ステップＳ１２２４では、デジタルインターフェース部５４を、ＭＰＥＧフォーマットデータを受信可能な状態に設定し、ステップＳ１２２５へ進む。
【０１２８】
ステップＳ１２２５では、デジタルインターフェース部５４での設定が完了し、デジタルインターフェース部５４での設定されたフォーマット形式とフォーマット検出部５２で検出されたフォーマット形式とが一致するまで待機する。フォーマット形式が一致すると、ステップＳ１２２６へ進む。
【０１２９】
ステップＳ１２２６では、制御部１１５が再生部５１に再生要求を出力し、次のステップＳ１２２７では、デジタルインターフェース部５４に記録要求コマンドを出力して、ダビング動作を再開する。
【０１３０】
以上のステップＳ１２１８〜Ｓ１２２７の処理は、ステップＳ１２１８で再生データが出力されていないと判別されるまで繰り返される。そしてステップＳ１２１８で再生データが出力されていないと判別されるとステップＳ１２２８に進み、制御部１１５が再生部５１に再生停止要求を出力し、次のステップＳ１２２９で、デジタルインターフェース部５４に記録停止要求コマンドを出力して、ダビング処理を終了する。
【０１３１】
このように、第６の実施の形態では、フォーマット検出部５２によって検出された再生データのフォーマット形式と、フォーマット設定検出部７４によって検出された外部装置（記録装置）での設定フォーマット形式とが一致していないとき、デジタルインターフェース部５４に設定されているフォーマット形式を、再生データのフォーマット形式と一致するように変更する。これによって、ＭＰＥＧフォーマットの画像データとＤＶフォーマットの画像データとが混在して記録された磁気テープのダビングを行う際に、良好な作業性を確保することが可能になる。
【０１３２】
〔他の実施の形態〕
上記第１〜第６の実施の形態では、記録装置やデータ出力装置がＤＶフォーマットデータとＭＰＥＧフォーマットデータとの２つを扱っているが、２種類以上のフォーマット形式の画像データを扱う記録装置やデータ出力装置に本発明を適用するようにしてもよい。
【０１３３】
また、記録装置は、記録媒体として磁気テープを用いたテープレコーダであっても、記録媒体としてＤＶＤを用いたＤＶＤレコーダであっても、また、記録媒体としてハードディスクを用いたパーソナルコンピュータであってもよい。
【０１３４】
また、本発明の目的は、上記の各実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１３５】
この場合、記憶媒体から読み出されたプログラムコード自体が前述した各実施の形態の機能を実現することになり、そのプログラムコード及び該プログラムコードを記憶した記憶媒体は本発明を構成することになる。
【０１３６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１３７】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１３８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【０１３９】
【図１】本発明の第１の実施の形態に係る記録装置の要部構成を示すブロック図である。
【図２】第１の実施の形態における記録部において実行される記録処理の手順を示すフローチャートである。
【図３】本発明の第２の実施の形態に係る記録装置の要部構成を示すブロック図である。
【図４】第２の実施の形態における制御部において実行されるダビング処理の手順を示すフローチャートである。
【図５】本発明の第３の実施の形態に係る記録装置の要部構成を示すブロック図である。
【図６】第３の実施の形態における制御部において実行されるダビング処理の手順を示すフローチャート（１／２）である。
【図７】第３の実施の形態における制御部において実行されるダビング処理の手順を示すフローチャート（２／２）である。
【図８】本発明の第４の実施の形態に係るデータ出力装置の要部構成を示すブロック図である。
【図９】第４の実施の形態における制御部で行われるダビング処理の手順を示すフローチャート（１／２）である。
【図１０】第４の実施の形態における制御部で行われるダビング処理の手順を示すフローチャート（２／２）である。
【図１１】本発明の第５の実施の形態に係るデータ出力装置の要部構成を示すブロック図である。
【図１２】第５の実施の形態における制御部で行われるダビング処理の手順を示すフローチャートである。
【図１３】本発明の第６の実施の形態に係るデータ出力装置の要部構成を示すブロック図である。
【図１４】第６の実施の形態における制御部で実行されるダビング処理の手順を示すフローチャート（１／３）である。
【図１５】第６の実施の形態における制御部で実行されるダビング処理の手順を示すフローチャート（２／３）である。
【図１６】第６の実施の形態における制御部で実行されるダビング処理の手順を示すフローチャート（３／３）である。
【符号の説明】
【０１４０】
１１  デジタルインターフェース（Ｉ／Ｆ）部（受信手段）
１２  フォーマット検出部（フォーマット検出手段）
１３  フォーマット選択部（受取手段）
１４  記録部（記録手段、比較手段、制御手段）
５１  再生部（再生手段）
５２  フォーマット検出部（フォーマット検出手段）
５３  フォーマット選択部（受取手段）
５４  デジタルインターフェース部（送信手段）
５５  制御部（制御手段）
【図１】
2007066357.tif 000003
【図２】
2007066357.tif 000004
【図３】
2007066357.tif 000005
【図４】
2007066357.tif 000006
【図５】
2007066357.tif 000007
【図６】
2007066357.tif 000008
【図７】
2007066357.tif 000009
【図８】
2007066357.tif 000010
【図９】
2007066357.tif 000011
【図１０】
2007066357.tif 000012
【図１１】
2007066357.tif 000013
【図１２】
2007066357.tif 000014
【図１３】
2007066357.tif 000015
【図１４】
2007066357.tif 000016
【図１５】
2007066357.tif 000017
【図１６】
2007066357.tif 000018